(57)【要約】      （修正有）【課題】小じわを解消すべく細胞間充填液を表皮内に沈着するに際して、連続注入することができるブローニードルを提供する。【解決手段】細径針１の基部をロッド先端に割刻挿入し、細胞間充填液の含浸性に優れた糸２で割刻部を巻装し、そのまま細径針をも巻装し、細径針の先端部を０．２〜０．７ｍｍ残してリターンし、この操作を五回繰り返し、５重巻き糸群を形成する。【選択図】図１
0003184546.tif 000002
【実用新案登録請求の範囲】
【請求項１】
ロッドの先端に細径針１を差し込み、この細径針１の先端部を０．２乃至０．７ミリほど残して、シルクの糸２をこの細径針１に５重巻きしてなる、ブローニードル。
【請求項２】
ロッド先端に設けた割刻部に細径針１を挿入し、細胞間充填液の含浸性の優れた糸２で、割刻部を巻装し始め、そのまま細径針１をも巻きつつ、針先端部を０．２乃至０．７ミリほど残してリターンし、巻き始めた位置まで戻る操作を５回繰り返す、ブローニードル。
【考案の詳細な説明】
【考案の詳細な説明】
【技術分野】
【０００１】  本考案は、人の顔の表皮内に細胞間充填液を垂らし込み、表皮の表面張力を高めることで小じわを解消したり、有色の細胞間充填液を使用して眉部着色する、ブロー成形用のブローニードルに関する。
【背景技術】
【０００２】  肌に栄養を運んでいる毛細血管はごく細い血管でできていて、目の細かい網のように肌を網羅しています。その位置は真皮層の上層、表皮のすぐ下ですから、わずか０．２ｍｍほどのところにあります。少しでも強い力が加われば血行が良くなるのではなく、毛細血管が損傷します。肌に赤みがでるようなマッサージは、既に毛細血管にはマイナス面の方が多い。摩擦で肌（角質）を傷めない滑りの良いクリームで、優しくマッサージが基本といわれている。顔の筋肉は骨と骨を結び収縮させるような骨格筋とは異なり、皮膚と骨、皮膚と腱膜といった非常にデリケートな接合部であるため強い力が加わると、簡単に壊れます。ストレスや僅かな外力の積み重ねりにより皺（以下小じわと称する）は形成される。人の皮膚は表面から表皮、真皮、皮下と構成され、神経組織や毛細血管は真皮まで達している。細径針先端がこの真皮に達すると痛みや出血を伴う。おおむね表皮（真皮一部）内に細胞間充填液を沈着させて、眉のメイクや小じわ処理するブロー成形技術は極めて高度な経験が要求される。本考案者は既にこの眉メイク技術や小じわ修正技術を体得し普及させており、細径針の開発にも長らく携わってきた。
【特許文献１】特開平７−２３８４１１号公報
【特許文献２】実用新案登録第３０６２１５２号
【特許文献３】実開昭６４−４０４１６号公報
【考案の開示】
【考案が解決しようとする課題】
【０００３】  無資格者がこのブロー成形施術をすると出血にともなう腫れや化膿を招く。図２のように表皮５内に細径針１の先端がとどまっていれば痛みや出血はない。真皮６に入り込むから痛いのである。表皮５に対して所定角度の傾きを保ったまま表皮内に圧入された細径針１が、この表皮５内の上部にとどまるように糸２の巻装太さに工夫が要求される。更に、さし込みの際に、速やかに、必要にして十分な量の細胞間充填液がさし込まて表皮の細胞間に瞬時に垂れ込むように、糸２の材質や重ね巻数にも配慮が必要となる。
【課題を解決するための手段】
【０００４】  ロッド先端に割部を刻設し、この割部に、細径針を挿入し、糸を巻き付けてこの細径針を固定するに際して、針先端部を約０．２ミリ乃至０．７ミリほど残して、細胞間充填液の含浸性の優れた糸で少なくとも５重に巻装して、ブローニードルを形成する。表皮に対して所定角度を保った状態でブローニードルを小じわや眉近傍の表皮に押し付け、５重巻き糸に含まれる細胞間充填液を表皮内に垂れ込ませる。
【考案の効果】
【０００５】  細径針は僅かな先端部（０．２〜０．７ミリ）を残して５重巻きの糸が巻装されている。細径針が表皮にさし込まれた際に、この５重巻き糸に含浸されている細胞間充填液が、表皮内の細胞間に垂れ込む。僅かに圧縮される５重巻きの糸から滲みだした細胞間充填液は、開いた細胞間内に垂れ込んで沈着する。このさし込み操作は僅かに表皮表面を移動して連続される。この５重巻き糸には、この連続操作を可能にすべく、必要にして十分な細胞間充填液が含浸されている。表皮の細胞間にこの細胞間充填液が沈着することで、表皮の表面張力は増加し、小じわは見た目には解消される。眉メイクでは、有色の細胞間充填液が採用される。
【図面の簡単な説明】
【０００６】
【図１】ブローニードルの正面図である。
【図２】ブローニードル先端を表皮内にさし込んだ時の説明図である。
【考案を実施するための最良の形態】
【０００７】  ロッド（図示せず）先端に設けた割刻部に、細径針１を挿入し、細胞間充填液の含浸性の優れた糸２で割刻部を巻装し、そのまま細径針１をも巻装し、細径針の先端部を約０．２ミリ残してリターンし、巻き始めた位置まで戻る。この操作を５回繰り返す。本考案の５重巻きとは、通常の１０回巻きに対応する。というのも、リターンでは、細径針に巻かれている糸に積み重なるのではなく、むしろ、巻かれている糸と糸との間に食い込むように重なると思われる。それ故に、このリターンまでの往復動作を１重巻きと本考案では定義する。この１重巻きを５回繰り返す５重巻きでは、ジグザグに積み重なった糸群に、連続さし込み操作に必要にして十分な細胞間充填液が含浸される。
細径針１の先端を僅かに０．２乃至０．７ミリ残して５重巻き糸２が臨んでおり、ブローニードルを表皮に押し当てた際には、必要にして十分な量の細胞間充填液が、表皮の細胞間内に垂れ込む。糸２にはシルクを採用する。
このブローニードルの施術法について詳しく説明する。上述したように顔の筋肉は骨と骨を結び収縮させるような骨格筋とは異なり、皮膚と骨、皮膚と腱膜といった非常にデリケートな接合部であるため強い力が加わると、簡単に壊れます。ストレスや僅かな外力の積み重ねりにより小じわは形成される。人の皮膚は表面から表皮、真皮、皮下と構成され、神経組織や毛細血管は真皮まで達している。細径針先端がこの真皮に達すると痛みや出血を伴う。人体に無害でその表面張力により細胞間に分散することなく留まる細胞間充填液は、成形外科分野で広く普及利用されている。小じわの下部に細胞間充填液を圧入することで、見た目に小じわを解消する。図２のように、所定の角度を保ってブローニードルを皮膚に押し付け、表皮５に僅かなさし込み変形（凹部）を生じさせ、押し付けられた５重巻き糸２を圧迫して細胞間充填液を凹部に満たし、図２の状態から細径針１を持ち上げる。表皮の凹部は弾性変形であり、元の平面状に復帰する。この際に、細胞間充填液は表皮内に閉じ込められる（沈着）。眉メイクの場合には有色の細胞間充填液が採用される。細径針１を表皮部位から僅かにずらすだけの連続操作が可能であるため、小じわ修正や眉メイクの作業性とできばえは向上する。【０００８】  図２のように、細径針１の先端が表皮５の上部にとどまることが重要である。真皮６に達すると神経を刺激し痛みを伴うばかりでなく、医学処置として施術は違法となる。表皮は約０．２ミリの厚さであるため、５重巻き糸２は、細径針１先端から僅か約０．２ミリ後退している。斜めに細径針１がさし込まれることと、５重巻き糸２の太さ故に、０．７ミリでも良い。施術者の技能による。
【産業上の利用可能性】
【０００９】  ストレス社会において、小じわの見た目での解消は高齢化社会のニーズに対応する。小じわの目立たない働く女子が元気になり労働生産性向上に大いに寄与する。
【符号の説明】
【００１０】１    細径針
２    糸
５    表皮
６    真皮
【図１】
0003184546.tif 000003
【図２】
0003184546.tif 000004